(57)【要約】【課題】センサの抵抗測定時にコネクタなどが離間した位置にある場合や狭小部にある場合の測定作業を容易にする携帯用テスタを提供する。【解決手段】携帯用テスタ３０は、テスタ棒２のプローブ３の先端に、導電性を有する先端部１０、軸部１１、及び接続部１２から構成される延長用プローブ９が着脱自在に取付けられ、延長用プローブ９の先端部１０又は延長用細径先端部１３により抵抗値を測定する。【選択図】図１
2009128226.tif 000002
【特許請求の範囲】
【請求項１】
テスタ本体と、導電性を有する先端部及び軸部から構成されるプローブ及びプローブを保持するホルダから成るテスタ棒と、がリード線を介して接続され、プローブの先端部により抵抗値を測定する携帯用テスタであって、
テスタ棒のプローブの先端には、導電性を有する延長用先端部、延長用軸部、及び接続部から構成される延長用プローブが着脱自在に取付けられ、延長用プローブの延長用先端部により抵抗値を測定することを特徴とする携帯用テスタ。
【請求項２】
請求項１に記載の携帯用テスタであって、延長用プローブの接続部は、その軸径が延長用プローブの延長用軸部の軸径よりも拡大され、テスタ棒のプローブの先端部、及び軸部の一部が収納可能な凹状の収納スペースを有し、延長用プローブは、その収納スペースの内壁に切られた雄ネジをテスタ棒のプローブの軸部に切られた雌ネジに係合することでテスタ棒のプローブに取り付けられることを特徴とする携帯用テスタ。
【請求項３】
請求項１に記載の携帯用テスタであって、延長用プローブの接続部は、その軸径が延長用プローブの延長用軸部の軸径よりも拡大され、テスタ棒のプローブの先端部、及び軸部の一部が収納可能な凹状の収納スペースを有し、収納スペースの開口端の内径はテスタ棒のプローブの軸径よりも大きく、その内径が収納スペースの内部に向かってテスタ棒のプローブの軸径よりも小さくなるまで漸減し、延長用プローブは、テスタ棒の軸部に嵌合することでテスタ棒のプローブに取り付けられることを特徴とする携帯用テスタ。
【請求項４】
請求項１乃至３のいずれか１に記載の携帯用テスタであって、延長用プローブの延長用先端部は、テスタ棒のプローブの先端部よりも鋭角に突出していることを特徴とする携帯用テスタ。
【請求項５】
テスタ本体と、導電性を有する先端部及び軸部から構成されるプローブ及びプローブを保持するホルダから成るテスタ棒と、がリード線を介して接続され、プローブの先端部により抵抗値を測定する携帯用テスタであって、
プローブは、抵抗値を測定する始端部と、ホルダに取り付く円筒状の終端部と、始端部と終端部との間に設けられる円筒状の中間部とから構成され、始端部は中間部に収納可能であり、中間部は終端部に収納可能であることを特徴とする携帯用テスタ。
【請求項６】
請求項５に記載の携帯用テスタであって、始端部のプローブの中間部側の端部、及び中間部のプローブの終端部側の端部にはスプリングが取り付いたストッパが設けられ、引き出された始端部及び中間部はストッパにより係止され、ストッパがスプリングの方向に押されることでそれぞれ中間部及び終端部に収納されることを特徴とする携帯用テスタ。
【請求項７】
請求項５又は６に記載の携帯用テスタであって、始端部のプローブの先端には、導電性を有し、テスタ棒のプローブの先端部よりも鋭角に突出した細径先端部が着脱自在に取り付けられることを特徴とする携帯用テスタ。
【請求項８】
請求項５乃至７のいずれか１に記載の携帯用テスタであって、中間部は、複数の円筒状のプローブから構成され、各プローブの始端部側は隣接された各プローブの終端部側に収納可能であることを特徴とする携帯用テスタ。
【請求項９】
テスタ本体と、導電性を有する先端部及び軸部から構成されるプローブ及びプローブを保持するホルダから成るテスタ棒と、がリード線を介して接続され、プローブの先端部により抵抗値を測定する携帯用テスタであって、
ホルダは、プローブが取り付く円筒状の始端部と、リード線が取り付く円筒状の終端部と、始端部と終端部との間に設けられる円筒状の中間部とから構成され、始端部は中間部に収納可能であり、中間部は終端部に収納可能であることを特徴とする携帯用テスタ。
【請求項１０】
請求項９に記載の携帯用テスタであって、始端部のホルダの中間部側の端部、及び中間部のホルダの終端部側の端部にはスプリングが取り付いたストッパが設けられ、引き出された始端部及び中間部は、ストッパがスプリングの方向に押されることでそれぞれ中間部及び終端部に収納されることを特徴とする携帯用テスタ。
【請求項１１】
請求項９又は１０に記載の携帯用テスタであって、プローブは、導電性を有し、テスタ棒のプローブの先端部よりも鋭角に突出した細径先端部であることを特徴とする携帯用テスタ。
【発明の詳細な説明】
【技術分野】
【０００１】
本発明は、携帯用テスタに係り、特に、テスタ本体と、導電性を有する先端部及び軸部から構成されるプローブ及びプローブを保持するホルダから成るテスタ棒と、がリード線を介して接続され、プローブの先端部により抵抗値を測定する携帯用テスタに関する。
【背景技術】
【０００２】
設備機器の点検の際には、携帯用テスタを用いてセンサのコネクタなどの抵抗値を測定する。図５に従来の携帯用テスタを示す。図５（ａ）には携帯用テスタの全体図を示し、図５（ｂ）にはテスタ棒を拡大して示す。
【０００３】
携帯用テスタ１は、テスタ本体５と、導電性を有する先端部７及び軸部８から構成されるプローブ３、及びプローブ３を保持するホルダ４から成るテスタ棒２と、がリード線６を介して接続される。この２本のテスタ棒２を設備機器のセンサのコネクタなどにそれぞれ接触させてその間の抵抗値を測定する。
【０００４】
特許文献１には、テスタ本体からリード線を介して引き出された他側のプローブをその不使用時にリード線ともどもテスタ本体の側に収納して保持させる携帯用テスタが開示されている。
【０００５】
【特許文献１】特開２００４−２０３６２号公報
【発明の開示】
【発明が解決しようとする課題】
【０００６】
天井裏の設備機器の測定の際には、状況によりテスタ棒の先端部がコネクタなどに届きにくい場合がある。例えば、天井に設けられた点検口からテスタ棒を伸ばして測定する場合などである。
【０００７】
また、設備機器の測定の際には、測定するコネクタなどが狭小部にあるため従来のテスタ棒の先端部がコネクタなどを容易に測定できない場合がある。例えば、ケーブルなどが複雑に絡み合い測定の邪魔になる場合などである。
【０００８】
本願の目的は、かかる課題を解決し、センサの抵抗測定時にコネクタなどが離間した位置にある場合や狭小部にある場合の測定作業を容易にする携帯用テスタを提供することである。
【課題を解決するための手段】
【０００９】
上記目的を達成するため、本発明に係る携帯用テスタは、テスタ本体と、導電性を有する先端部及び軸部から構成されるプローブ及びプローブを保持するホルダから成るテスタ棒と、がリード線を介して接続され、プローブの先端部により抵抗値を測定する携帯用テスタであって、テスタ棒のプローブの先端には、導電性を有する延長用先端部、延長用軸部、及び接続部から構成される延長用プローブが着脱自在に取付けられ、延長用プローブの延長用先端部により抵抗値を測定することを特徴とする。
【００１０】
また、上記携帯用テスタは、延長用プローブの接続部が、その軸径が延長用プローブの延長用軸部の軸径よりも拡大され、テスタ棒のプローブの先端部、及び軸部の一部が収納可能な凹状の収納スペースを有し、延長用プローブが、その収納スペースの内壁に切られた雄ネジをテスタ棒のプローブの軸部に切られた雌ネジに係合することでテスタ棒のプローブに取り付けられることが好ましい。
【００１１】
また、上記携帯用テスタは、延長用プローブの接続部が、その軸径が延長用プローブの延長用軸部の軸径よりも拡大され、テスタ棒のプローブの先端部、及び軸部の一部が収納可能な凹状の収納スペースを有し、収納スペースの開口端の内径はテスタ棒のプローブの軸径よりも大きく、その内径が収納スペースの内部に向かってテスタ棒のプローブの軸径よりも小さくなるまで漸減し、延長用プローブが、テスタ棒の軸部に嵌合することでテスタ棒のプローブに取り付けられることが好ましい。
【００１２】
また、上記携帯用テスタは、延長用プローブの延長用先端部が、テスタ棒のプローブの先端部よりも鋭角に突出していることが好ましい。
【００１３】
これにより、センサの抵抗測定時にコネクタなどが離間した位置にある場合に、延長用プローブを取付けることで容易に測定できる。また、センサの抵抗測定時にコネクタなどが狭小部にある場合に鋭角に突出した細径先端部を有する延長用プローブを取付けることで容易に測定できる。
【００１４】
また、本発明に係る携帯用テスタは、テスタ本体と、導電性を有する先端部及び軸部から構成されるプローブ及びプローブを保持するホルダから成るテスタ棒と、がリード線を介して接続され、プローブの先端部により抵抗値を測定する携帯用テスタであって、プローブは、抵抗値を測定する始端部と、ホルダに取り付く円筒状の終端部と、始端部と終端部との間に設けられる円筒状の中間部とから構成され、始端部は中間部に収納可能であり、中間部は終端部に収納可能であることを特徴とする。
【００１５】
また、上記携帯用テスタは、始端部のプローブの中間部側の端部、及び中間部のプローブの終端部側の端部にはスプリングが取り付いたストッパが設けられ、引き出された始端部及び中間部はストッパにより係止され、ストッパがスプリングの方向に押されることでそれぞれ中間部及び終端部に収納されることが好ましい。
【００１６】
また、上記携帯用テスタは、始端部のプローブの先端には、導電性を有し、テスタ棒のプローブの先端部よりも鋭角に突出した細径先端部が着脱自在に取り付けられることが好ましい。
【００１７】
また、上記携帯用テスタは、中間部が、複数の円筒状のプローブから構成され、各プローブの始端部側は隣接された各プローブの終端部側に収納可能であることが好ましい。
【００１８】
これにより、センサの抵抗測定時にコネクタなどが離間した位置にある場合に、プローブの始端部を中間部から引き出すことで、又はプローブの中間部を終端部から引き出すことで容易に測定できる。また、センサの抵抗測定時にコネクタなどが狭小部にある場合に鋭角に突出した細径先端部を取付けることで容易に測定できる。
【００１９】
また、本発明に係る携帯用テスタは、テスタ本体と、導電性を有する先端部及び軸部から構成されるプローブ及びプローブを保持するホルダから成るテスタ棒と、がリード線を介して接続され、プローブの先端部により抵抗値を測定する携帯用テスタであって、
ホルダは、プローブが取り付く円筒状の始端部と、リード線が取り付く円筒状の終端部と、始端部と終端部との間に設けられる円筒状の中間部とから構成され、始端部は中間部に収納可能であり、中間部は終端部に収納可能である。
【００２０】
また、上記携帯用テスタは、始端部のホルダの中間部側の端部、及び中間部のホルダの終端部側の端部にはスプリングが取り付いたストッパが設けられ、引き出された始端部及び中間部は、ストッパがスプリングの方向に押されることでそれぞれ中間部及び終端部に収納されることが好ましい。
【００２１】
また、上記携帯用テスタは、プローブが、導電性を有し、テスタ棒のプローブの先端部よりも鋭角に突出した細径先端部であることが好ましい。
【００２２】
これにより、センサの抵抗測定時にコネクタなどが離間した位置にある場合に、ホルダの始端部を中間部から引き出すことで、又はホルダの中間部を終端部から引き出すことで容易に測定できる。また、センサの抵抗測定時にコネクタなどが狭小部にある場合に鋭角に突出した細径先端部を取付けることで容易に測定できる。
【発明の効果】
【００２３】
以上のように、本発明に係る携帯用テスタによれば、センサの抵抗測定時にコネクタなどが離間した位置にある場合や狭小部にある場合の測定作業を容易にすることが可能となる。
【発明を実施するための最良の形態】
【００２４】
以下に、図面を用いて本発明に係る携帯用テスタの実施の形態につき、詳細に説明する。
【００２５】
図１（ａ）に、携帯用テスタの１つの実施形態の概略構成を示す。本実施形態における携帯用テスタ３０では、従来の携帯用テスタ１に延長用プローブ９が取付けられる。ここで、従来の携帯用テスタ１は、図５に示すようにテスタ本体５、テスタ棒２、及びリード線６から構成される。また、従来のテスタ棒２は、導電性を有するプローブ先端部７及びプローブ軸部８から成るプローブ３及びプローブ３を保持するホルダ４から構成される。この延長用プローブ９は、導電性を有する延長用プローブ先端部１０、延長用プローブ軸部１１、及び接続部１２から構成される。そして、延長用プローブ先端部１０によりセンサ（図示せず）のコネクタ（図示せず）などの抵抗値が測定される。また、図１（ｂ）には、延長用プローブ９の延長用プローブ先端部１０が、テスタ棒２のプローブ先端部７よりも鋭角に突出した延長用細径先端部１３である場合を示す。
【００２６】
図２に、従来のテスタ棒２のプローブ３と延長用プローブ９との接合方法を示す。図２（ａ）はネジによる接合方法を示し、図２（ｂ）は嵌合による接合方法を示す。
【００２７】
図２（ａ）に示すように、延長用プローブ９の接続部１２は、その軸径（ｈ１）が延長用プローブ軸部１１の軸径（ｈ０）よりも拡大される。そして、延長用プローブ９の接続部１２は凹状の収納スペース１４を有し、この収納スペース１４の内部にテスタ棒２のプローブ３のプローブ先端部７と、プローブ軸部８の一部とが収納される。さらに、その収納スペース１４の内壁には雄ネジが切られ、テスタ棒２のプローブ軸部８に雌ネジが切られる。この場合、プローブ軸部８には雌ネジが切られるため、プローブ先端部７の一部が切削される。そして、延長用プローブ９は、接続部１２の内部に切られた雄ネジと、プローブ軸部８に切られた雌ネジとを係合させることでテスタ棒２のプローブ３に取り付けられる。
【００２８】
図２（ｂ）に示すように、延長用プローブ９の接続部１２は、その軸径（ｈ２）が延長用プローブ軸部１１の軸径（ｈ０）よりも拡大される。そして、延長用プローブ９の接続部１２は凹状の収納スペース１４を有し、この収納スペース１４の内部にテスタ棒２のプローブ３のプローブ先端部７と、プローブ軸部８の一部とが収納される。さらに、収納スペース１４の開口端１５の内径はテスタ棒２のプローブ軸部８の外径よりも大きく、収納スペース１４の内部に向かってその内径がテスタ棒２のプローブ軸部８の外径よりも小さくなるまで漸減する。つまり、図２（ｂ）に示すように、収納スペース１４の内壁面がプローブ軸部８の外径線に対して１／ｄだけ勾配を有する。この勾配により、収納スペース１４に挿入されるプローブ軸部８は、一定の位置以上は収納スペース１４内に進入することができず、その状態で嵌合されてテスタ棒２のプローブ３に取り付けられる。センサのコネクタなどの抵抗値を測定する際には、延長用プローブ９は、テスタ棒２のプローブ３の方向に押される力が加わるため、テスタ棒２から外れる懼れは少ない。また、延長用プローブ９は、引抜くことで容易にテスタ棒２のプローブ３から取り除くことができる。
【００２９】
図３に、本発明に係る携帯用テスタの他の実施形態の概略構成を示す。図３（ａ）はテスタ棒２の側面を示し、図３（ｂ）はプローブ３の拡大された断面を示す。図３（ａ）に示すように、本実施形態の携帯用テスタ４０は、プローブ３が抵抗値を測定する円筒状のプローブ始端部１６と、ホルダ４に取り付く円筒状のプローブ終端部１８と、プローブ始端部１６とプローブ終端部１８との間に設けられる円筒状のプローブ中間部１７とから構成される。そして、プローブ始端部１６はプローブ中間部１７に収納され、必要に応じて引き出される。また、プローブ中間部１７はプローブ終端部１８に収納され、必要に応じて引き出される。さらに、プローブ始端部１６をプローブ中間部１７に収納し、プローブ中間部１７をプローブ終端部１８に収納すると、図５（ｂ）に示す従来のプローブ３とほぼ同じ長さになる。これにより、センサの抵抗測定時にコネクタなどが離間した位置にある場合に、プローブ始端部１６、プローブ中間部１７、及びプローブ終端部１８によりプローブ３の長さを調節できる。このプローブ中間部１７は、本実施形態では１個であるが、これに限らず２個以上であっても良く、また、プローブ中間部１７がなくても良い。また、プローブ始端部１６は、本実施形態では中空の円筒状の管であるが、その径が小さくなるため中実の棒状体であっても良い。
【００３０】
図３（ｂ）に、プローブ中間部１７とプローブ終端部１８との接合部を示す。プローブ中間部１７のプローブ終端部１８側の端部には、円筒状の管を軸方向と略直角方向に貫通する２つの貫通孔２２が明けられ、その貫通孔２２には固定片２１からスプリング２０により支持されたストッパ１９が設けられる。固定片２１は管から突き出た支持棒３１により管の内部に固定される。このストッパ１９は、測定の際にプローブ終端部１８から引き出されたプローブ中間部１７が戻らないようにするためのものである。そして、プローブ中間部１７をプローブ終端部１８に納める場合には、このストッパ１９を押えることで容易に挿入できる。なお、プローブ始端部１６とプローブ中間部１７との接合部も同様な機構である。
【００３１】
また、始端部プローブ１６の先端には、導電性を有し、図５に示す従来のテスタ棒２のプローブ３のプローブ先端部７よりも鋭角に突出した延長用細径先端部１３が取り付けられる。この延長用細径先端部１３は、プローブ始端部１６を保護すると共に、センサの抵抗測定時にコネクタなどが狭小部にある場合に測定を容易にする。この延長用細径先端部１３は、プローブ始端部１６にネジにより接続され、従来の形状のプローブ先端部７などに取り替えることができる。
【００３２】
図４に、本発明に係る携帯用テスタの他の実施形態の概略構成を示す。図４（ａ）はホルダ４の側面を示し、図４（ｂ）はホルダ４の拡大された断面を示す。図４（ａ）に示すように、本実施形態の携帯用テスタ５０は、ホルダ４が、プローブ３が取り付く円筒状のホルダ始端部２３と、リード線６が取り付く円筒状のホルダ終端部２５と、ホルダ始端部２３とホルダ終端部２５との間に設けられる円筒状のホルダ中間部２４とから構成される。ホルダ始端部２３はホルダ中間部２４に収納され、必要に応じて引き出される。また、ホルダ中間部２４はホルダ終端部２５に収納され、必要に応じて引き出される。さらに、ホルダ始端部２３をホルダ中間部２４に収納し、ホルダ中間部２４をホルダ終端部２５に収納し、図５（ｂ）に示す従来のホルダ４とほぼ同じ長さにして使用できる。これにより、センサの抵抗測定時にコネクタなどが離間した位置にある場合に、ホルダ始端部２３、ホルダ中間部２４、及びホルダ終端部２５によりホルダ４の長さを調節できる。このホルダ中間部２４は、本実施形態では１個であるが、これに限らず２個以上であっても良く、また、ホルダ中間部２４がなくても良い。
【００３３】
図４（ｂ）に、ホルダ中間部２４とホルダ終端部２５との接合部を示す。ホルダ中間部２４のホルダ終端部２５側の端部には、円筒状の管を軸方向と略直角方向に貫通する２つの貫通孔２９が明けられ、その貫通孔２９には固定片２８からスプリング２７により支持されたストッパ２６が設けられる。固定片２８は管から突き出た支持棒３２により管の内部に固定される。このストッパ２６は、測定の際にホルダ終端部２５から引き出されたホルダ中間部２４が戻らないようにするためのものである。そして、ホルダ中間部２４をホルダ終端部２５に納める場合には、このストッパ２６を押えることで容易に挿入できる。なお、ホルダ始端部２３とホルダ中間部２４との接合部も同様な機構である。
【００３４】
本実施形態においても、プローブ３の先端には、導電性を有し、図５に示す従来のテスタ棒２のプローブ３のプローブ先端部７よりも鋭角に突出した、図１（ｂ）に示すような延長用細径先端部１３が取り付けられる。これにより、センサの抵抗測定時にコネクタなどが狭小部にある場合に鋭角に突出した細径先端部１３を取付けることで容易に測定できる。
【図面の簡単な説明】
【００３５】
【図１】本発明に係る携帯用テスタの１つの実施形態の概略構成を示す側面図である。
【図２】従来のテスタ棒のプローブと延長用プローブとの接合方法を示す断面図である。
【図３】本発明に係る携帯用テスタの他の実施形態の概略構成を示す側面図及び断面図である。
【図４】本発明に係る携帯用テスタの他の実施形態の概略構成を示す側面図及び断面図である。
【図５】従来の携帯用テスタの構成を示す説明図である。
【符号の説明】
【００３６】
１，３０，４０，５０  携帯用テスタ、２  テスタ棒、３  プローブ、４  ホルダ、５  テスタ本体、６  リード線、７  プローブ先端部、８  プローブ軸部、９  延長用プローブ、１０  延長用プローブ先端部、１１  延長用プローブ軸部、１２  接続部、１３  延長用細径先端部、１４  収納スペース、１５  開口端、１６  プローブ始端部、１７  プローブ中間部、１８  プローブ終端部、１９，２６  ストッパ、２０，２７  スプリング、２１，２８  固定片、２２，２９  貫通孔、２３  ホルダ始端部、２４  ホルダ中間部、２５  ホルダ終端部、３１，３２  支持棒。
【図１】
2009128226.tif 000003
【図２】
2009128226.tif 000004
【図３】
2009128226.tif 000005
【図４】
2009128226.tif 000006
【図５】
2009128226.tif 000007